(57)【要約】      （修正有）【課題】ペットボトル１０や携帯用魔法瓶１１にドリッパーから直接コーヒーが安全且つ簡単に抽出できるコーヒードリッパーを提供する。【解決手段】コーヒー液抽出口形状をじょうご形の注ぎ口３にする。この注ぎ口３をペットボトル１０や携帯用魔法瓶１１の口に差し込んで直接ボトル容器１０・１１にコーヒーを抽出する。更に、このじょうご形の注ぎ口３の外側には円形の溝４・５を設ける。このドリッパーの持ち手２を持って、この円形の溝４・５にボトル容器１０・１１の頭部液入口を入れると、ボトル容器はしっかり固定され、安定した状態で安全にコーヒー抽出作業が出来る。【選択図】図５
0003150399.tif 000002
【実用新案登録請求の範囲】
【請求項１】
コーヒードリッパーの下部にある数箇所の穴つまりコーヒー液抽出口の下に、抽出されたコーヒーを１箇所に集めるじょうご形をした形状の注ぎ口を設けるのである。
このじょうご形の注ぎ口部品の液出口の外形寸法は、小型のペットボトルの液入口の口径より小さい寸法の形状にする。
コーヒードリッパーのコーヒー液抽出口をこの形状にする事により、ペットボトルや携帯用魔法瓶の液入口にコーヒードリッパーの液抽出口を直接入れる事を可能にするのである。
このじょうご形の形状のコーヒー抽出口が付いていることが、このコーヒードリッパーの特徴である。
【請求項２】
このコーヒードリッパー１の下部分に付いているじょうご形のコーヒー抽出口を中心にして、その周りにペットボトル１０や携帯用魔法瓶１１の液注ぎ口である口部分を入れる事が出来る大きさと溝幅を持つ円形の溝４．５を設けるのである。
この溝４．５の深さはボトル容器１０．１１のキャップが閉まる深さより数ミリ浅くしておくのである。
つまりボトル容器１０．１１の液入口をドリッパーの下部分にある溝４．５に入れた状態でコーヒーが抽出出来る様にするのである。
コーヒードリッパー１の下部にペットボトル１０や携帯用魔法瓶１１の口を入れる事ができる溝４．５が設けられている事が、このコーヒードリッパーの特徴である。
【考案の詳細な説明】
【技術分析】
【０００１】  本考察は、ドリッパー１からペットボトル１０や携帯用魔法瓶１１にコーヒーを直接抽出して入れる事が出来るドリッパー１に関するものである。
【背景技術】
【０００２】  従来のドリッパー８はカップ６やサーバーにしかコーヒーを抽出出来なかった。【０００３】  ペットボトルや魔法瓶等の入り口の小さな容器に入れるにはじょうごやきゅうすを使用していた。
【考案の開示】
【考案が解決しようとする課題】
【０００４】  ドリッパー８で抽出したコーヒーをペットボトル１０や携帯用魔法瓶１１に入れる時はカップ又はコーヒーサーバーに一回抽出してから、じょうごやきゅうすを使用して容器に入れ替えていた。
この作業はじょうごやペットボトルも熱くなり、更に不安定なのでこぼしたり火傷等の心配が有り大変だった。
【課題を解決するための手段】
【０００５】  請求項１の形状のドリッパーにすれば、ドリッパー１で抽出したコーヒーがドリッパー１の下部液出口にじょうご形の注ぎ口３が付いている事により、直接ペットボトル等の口の小さい容器に抽出したコーヒーを注ぎ入れる事が出来るのである。【０００６】  請求項２の形状のドリッパーにする。つまり、このドリッパーの下部分の形状は、ペットボトル１０や魔法瓶１１等のボトル容器の口径に合う２段階サイズの溝４．５が付いており、ボトル容器１０・１１にドリッパー１を乗せてコーヒーを抽出する際、溝にボトル容器１０・１１の口を入れて、そしてドリッパー１の持ち手２を保持していればボトル容器１０・１１は横揺れせず固定されるので、動かず安定した状態で抽出作業が出来るのである。【０００７】  この形状のドリッパーを使用すれば、じょうごやきゅうすを使用する必要も無く、更に抽出時にボトル容器１０・１１を直接持たなくて良いので手に熱さを感じる事も無く作業ができ、更にお湯漏等での火傷事故も無く、安全な抽出作業が可能なのである。
【考案の効果】
【０００８】  自分の好きなコーヒーを飲みたい時に飲めるように出来る。
コーヒーを飲むとき、一回にコーヒーカップ１２とペットボトル１０の両方に抽出すれば、経済的である。
更に携帯用魔法瓶１１に入れておけば冬でも暖かいコーヒーが何処でも飲む事が出来るのである。
従来のドリッパー８はペットボトル１０等の入り口の小さい容器にコーヒーを抽出する作業が出来なかったが、本考案により安全かつ簡単に実行出来るのである。これは、コーヒーの節約、ペットボトルの再利用、缶・ペットボトルのコーヒー購入代金の節約等の効果があるのである。
【考案を実施するための最良の形態】
【０００９】  上部形状は従来より使用されていたドリッパーと同じ形状であるが、下部の液出口は請求項１の形状にするのである。
つまり、下部液抽出口の形状をじょうご形３にして、数箇所の抽出口から出るコーヒーを一箇所に集める。更にこのじょうご形の注ぎ口のその外形寸法はペットボトル１０の口部分に入る寸法にするのである。【００１０】  ドリッパー使用時に安定した状態でペットボトルへコーヒーを抽出できる様に請求項２の形状にするのである。つまり、ドリッパーにあるじょうご形の注ぎ口外周の形状はペットボトル１０や携帯用魔法瓶１１の液入口部分の口を入れて保持する事が出来る円形の溝４．５が有る形状にするのである。【００１１】  ドリッパー下部外周部の形状は、コーヒーカップやコーヒーサーバーにコーヒーを抽出できる様に、従来より使用されていたドリッパー８形状と同じ形状である。
つまり、コーヒーカップやコーヒーサーバーの口部に接する山形の出っ張り６やカップが横にぶれない様に横ずれ防止の縁７が付いた形状である。
【図面の簡単な説明】
【００１２】
【図１】  コーヒードリッパーの正面断面図
【図２】  コーヒードリッパーの側面断面図
【図３】  コーヒードリッパーの底面図
【図４】  じょうごを使用してボトル容器にコーヒーを抽出する従来の方法
【図５】  コーヒードリッパーを使用してボトル容器にコーヒーを抽出する時の断面図
【図６】  コーヒードリッパーを使用してコーヒーカップにコーヒーを抽出する時の断面図
【符号の説明】
【００１３】１    コーヒードリッパー上部本体
２    コーヒードリッパーの持ち手
３    じょうご形の注ぎ口
４    携帯用魔法瓶の口を入れる溝
５    ペットボトル容器の口を入れる溝
６    コーヒーカップやコーヒーサーバーの口部に接する山形の出っ張り
７    コーヒーカップの横ずれ防止用縁
８    従来型のコーヒードリッパー
９    じょうご
１０  ペットボトル容器
１１  携帯用魔法瓶
１２  コーヒーカップ
【図１】
0003150399.tif 000003
【図２】
0003150399.tif 000004
【図３】
0003150399.tif 000005
【図４】
0003150399.tif 000006
【図５】
0003150399.tif 000007
【図６】
0003150399.tif 000008
【手続補正書】
【提出日】平成20年11月25日(2008.11.25)
【手続補正１】
【補正対象書類名】実用新案登録請求の範囲
【補正対象項目名】全文
【補正方法】変更
【補正の内容】
【実用新案登録請求の範囲】
【請求項１】
コーヒードリッパーの下部にある数箇所のコーヒーが抽出される穴の下に、ジョウゴに似た形状の注ぎ口を取り付ける事を特徴とするコーヒードリッパー。
【請求項２】
コーヒードリッパー下部のコーヒー液出口を中心にして、そのまわりにペットボトルや携帯用魔法瓶の口部分を入れる事が出来る、円形の溝がある形状を特徴とするコーヒードリッパー。
【手続補正書】
【提出日】平成21年2月12日(2009.2.12)
【手続補正１】
【補正対象書類名】実用新案登録請求の範囲
【補正対象項目名】全文
【補正方法】変更
【補正の内容】
【実用新案登録請求の範囲】
【請求項１】
コーヒードリッパーのコーヒー液抽出孔の下部に抽出されたコーヒーを一箇所に集め、ボトル容器へのコーヒー注入が可能になるように形成された形状の注ぎ口３を有する事を特徴とするコーヒードリッパー。
【請求項２】
前記コーヒードリッパーの注ぎ口３周りに、ペットボトルや携帯用魔法瓶の口部分を嵌める事が可能である円形の凹溝４・５がある形状を有する事を特徴とする請求項１に記載のコーヒードリッパー。